(57)【要約】【課題】小型で利便性に優れたコンロッドボルト抜き用治具を提供する。【解決手段】ボルト孔１３ａ，１４ａのいずれかに圧入されたコンロッドボルト１５をボルト孔１３ａ，１４ａから抜く際に使用するコンロッドボルト抜き用治具１であって、治具本体２と、治具本体２に対して移動してキャップ１４をコンロッド本体１３に向けて押える押え部材４と、治具本体２に対して傾動してコンロッド本体１３の左右の肩部１３ｆに係止する一対の腕部材３とを有し、一対の腕部材３と押え部材４とによってコンロッド本体１３とキャップ１４を挟んで保持する。そして治具本体２には、治具本体２から進出してコンロッドボルト１５を押して、コンロッドボルト１５を圧入されたボルト孔１３ａ，１４ａから抜く圧入解除部材５が進退可能に設けられている。【選択図】図４
2008264885.tif 000002
【特許請求の範囲】
【請求項１】
コンロッド本体のボルト孔とキャップのボルト孔に挿入され、かつ少なくとも前記いずれかのボルト孔に圧入されたコンロッドボルトを前記圧入されたボルト孔から抜く際に使用するコンロッドボルト抜き用治具であって、
治具本体と、前記治具本体に対して移動して前記キャップを前記コンロッド本体に向けて押える押え部材と、前記治具本体に対して傾動して前記コンロッド本体の左右の肩部に係止する一対の腕部材とを有し、前記一対の腕部材と前記押え部材とによって前記コンロッド本体と前記キャップを挟んで保持し、
前記治具本体には、前記治具本体から進出して前記コンロッドボルトを押して、前記コンロッドボルトを圧入された前記ボルト孔から抜く圧入解除部材が進退可能に設けられていることを特徴とするコンロッドボルト抜き用治具。
【請求項２】
請求項１に記載のコンロッドボルト抜き用治具であって、
一対の腕部材の間には、これらを連動させる連動機構が設けられており、
前記腕部材と前記治具本体の間には、前記腕部材をコンロッド本体に向けて付勢する付勢部材が設けられており、
前記腕部材の一つには、前記付勢部材に抗して前記腕部材を解除方向に操作するための解除レバーが設けられていることを特徴とするコンロッドボルト抜き用治具。
【請求項３】
請求項１に記載のコンロッドボルト抜き用治具であって、
押え部材と治具本体の間には、前記押え部材をキャップに向けて付勢する付勢部材と、前記治具本体から進出して前記押え部材を前記キャップに押し付ける進出部材とが設けられていることを特徴とするコンロッドボルト抜き用治具。
【発明の詳細な説明】
【技術分野】
【０００１】
本発明は、コンロッド本体のボルト孔とキャップのボルト孔に挿入され、かつ少なくともいずれかのボルト孔に圧入されたコンロッドボルトを圧入されたボルト孔から抜く際に使用するコンロッドボルト抜き用治具に関する。
【背景技術】
【０００２】
コンロッドは、車両用エンジンのピストンのピンに連結される小端部と、クランクシャフトに連結される大端部を有している（特許文献１参照）。大端部の半周部分は、コンロッド本体に一体に形成されており、残りの半周部分は、キャップによって構成されている。そしてこれらは、コンロッドボルトによって連結されている。コンロッドボルトは、コンロッド本体のボルト孔とキャップのボルト孔に挿入されて、コンロッド本体のボルト孔あるいはキャップのボルト孔の少なくとも一方に圧入されている。そのためコンロッドを分解する際には、コンロッドボルトを圧入されたボルト孔から抜く必要がある。
【０００３】
従来、コンロッドボルトを圧入されたボルト孔から抜く分解治具も知られている（特許文献２参照）。しかしこの分解治具は、大型であって、エンジンを車体から降ろした状態でないと使用できないなど、利便性に優れていなかった。
【特許文献１】特開２００５−３０５５５８号公報
【特許文献２】特開２００５−１４４５７８号公報
【発明の開示】
【発明が解決しようとする課題】
【０００４】
そこで本発明は、小型で利便性に優れたコンロッドボルト抜き用治具を提供することを課題とする。
【課題を解決するための手段】
【０００５】
前記課題を解決するために本発明は、各請求項に記載の通りの構成を備えるコンロッドボルト抜き用治具であることを特徴とする。すなわち請求項１に記載の発明によると、コンロッドボルト抜き用治具は、治具本体と、治具本体に対して移動してキャップをコンロッド本体に向けて押える押え部材と、治具本体に対して傾動してコンロッド本体の左右の肩部に係止する一対の腕部材とを有し、一対の腕部材と押え部材とによってコンロッド本体とキャップとを挟んで保持する。そして治具本体には、治具本体から進出してコンロッドボルトを押して、コンロッドボルトを圧入されたボルト孔から抜く圧入解除部材が進退可能に設けられている。
【０００６】
したがって治具は、一対の腕部材と押え部材によってコンロッド本体とキャップを挟んでこれらを安定良く保持する。そしてその状態においてコンロッドボルトを圧入解除部材によって押して、コンロッドボルトを圧入されたボルト孔から抜くことができる。また治具は、治具本体に対して各部品が取付けられる構成である。そのため小型化可能な構成で、小型化することで使用勝手が向上し、利便性に優れた構成になっている。
【０００７】
請求項２に記載の発明によると、一対の腕部材の間には、これらを連動させる連動機構が設けられている。腕部材と治具本体の間には、腕部材をコンロッド本体に向けて付勢する付勢部材が設けられている。そして腕部材の一つには、付勢部材に抗して腕部材を解除方向に操作するための解除レバーが設けられている。したがって解除レバーと連動機構によって一対の腕部材を同時に解除位置に操作することができる。そして付勢部材の付勢力を利用して一対の腕部材を容易にコンロッド本体に係止させることができる。
【０００８】
請求項３に記載の発明によると、押え部材と治具本体の間には、押え部材をキャップに向けて付勢する付勢部材と、治具本体から進出して押え部材をキャップに押し付ける進出部材とが設けられている。したがって付勢部材によって押え部材を付勢することで、キャップとコンロッド本体を軽い力で保持（仮保持）することができる。そして進出部材によって押え部材をキャップに押し付けることで、キャップとコンロッド本体を安定良く保持（本保持）することができる。そのため仮保持した後に本保持することで、キャップとコンロッド本体を容易に保持することができる。
【発明を実施するための最良の形態】
【０００９】
実施の形態を図１〜６にしたがって説明する。コンロッドボルト抜き用治具１は、コンロッド１２を分解する際に利用する治具である。コンロッド１２は、図３に示すようにコンロッド本体１３と、キャップ１４と、これらを連結するコンロッドボルト１５を有している。コンロッド本体１３は、ロッド部１３ｃと、ロッド部１３ｃの一端部に形成された小端部１３ｂと、他端部に形成された半円弧部１３ｄを有している。小端部１３ｂは、ピストン１８のピン１８ａに連結される。半円弧部１３ｄは、キャップ１４と協働して大端部１２ａを構成する部分であって、大端部１２ａの上側半周部分を構成する。
【００１０】
キャップ１４は、図３に示すように半円弧状であって、大端部１２ａの下側半周部分を構成する。キャップ１４は、一対のコンロッドボルト１５によってコンロッド本体１３に連結され、大端部１２ａには、図２に示すクランクシャフト１１が連結される。
【００１１】
コンロッドボルト１５は、図３に示すようにコンロッド本体１３に形成されたボルト孔１３ａと、キャップ１４に形成されたボルト孔１４ａに挿入される。コンロッドボルト１５の先端部は、ボルト孔１４ａから突出しており、その先端部にナット１６が螺合される。ナット１６を締め付けると、コンロッドボルト１５は、ボルト孔１３ａまたはボルト孔１４ａの少なくとも一方に圧入嵌合される。そのためコンロッドボルト１５からナット１６を外した状態であっても、コンロッドボルト１５は、コンロッド１２側から脱落しない。
【００１２】
コンロッドボルト抜き用治具１は、コンロッドボルト１５を圧入されたボルト孔１３ａまたはボルト孔１４ａから抜く治具であって、例えば、図２に示すようにエンジンブロック１７内に組み込まれた状態のコンロッド１２からコンロッドボルト１５を抜く際に利用される。
【００１３】
コンロッドボルト抜き用治具１は、図１に示すように治具本体２と、一対の腕部材３と、押え部材４を有している。治具本体２は、ベース２ａと、ベース２ａの両端部に固定される一対の側部２ｂと、一対の側部２ｂの下端部間を連結する連結補強部２ｃを一体に有している。ベース２ａの中央上側には、押え部材４が移動可能に設けられており、押え部材４の左右両側には、案内壁部２ｄが設けられている。案内壁部２ｄは、ベース２ａに一体に設けられており、押え部材４が上下動する際に、押え部材４の回転と左右の振れを防止する。
【００１４】
ベース２ａには、図１に示すように進出部材６と一対の圧入解除部材５が進退可能に設けられている。進出部材６と圧入解除部材５は、例えばボルトであって、ベース２ａおよび案内壁部２ｄに形成されたボルト孔に螺合されている。進出部材６は、回転されることでベース２ａに対して上方に移動し、図４に示すように押え部材４をキャップ１４に向けて押し上げる。圧入解除部材５は、回転されることでベース２ａに対して上方に移動し、コンロッドボルト１５を抜く方向に押上げる。図１に示すように連結補強部２ｃには、貫通孔２ｃ１〜２ｃ３が形成されている。したがって貫通孔２ｃ１〜２ｃ３からボックススパナ等の工具が挿入し、その工具によって進出部材６と圧入解除部材５を回転させ、これらをベース２ａに対して移動させることができる。
【００１５】
腕部材３は、図１に示すようにベース２ａ側から基部３ｂと延出部３ｃと係止部３ｄを一体に有している。基部３ｂは、一端部がベース２ａの中央寄りに傾動軸３ａによって傾動可能に取付けられている。延出部３ｃは、基部３ｂの他端部から上方に延出している。係止部３ｄは、延出部３ｃの先端から鉤状に折り返して、図５に示すようにその先端に一対の爪３ｄ１を有している。一対の爪３ｄ１は、コンロッド本体１３の肩部１３ｆの表側と裏側に係止する（図４参照）。
【００１６】
一対の腕部材３の間には、図４に示すように連動機構８が設けられている。連動機構８は、腕部材３の基部３ｂに一体に設けられた歯車８ａを有しており、一対の歯車８ａが噛合わされている。したがって一対の腕部材３は、連動機構８によって連動する。図１に示すように腕部材３の延出部３ｃと治具本体２の側部２ｂの間には、腕部材３をコンロッド１２に向けて付勢する付勢部材９が設けられている。延出部３ｃには、コンロッド１２に対向する面に当接部３ｅが設けられている。当接部３ｅは、図４に示すように腕部材３をコンロッド本体１３に係止させた際にコンロッド１２の側面に当接する。
【００１７】
腕部材３の一方には、図４に示すように棒状の解除レバー１０が取付けられている。解除レバー１０の一端部は、基部３ｂと延出部３ｃの角部に固定されており、他端部が反時計回りに押されることで、腕部材３を付勢部材９に抗して傾動させる。
【００１８】
押え部材４は、図４，６に示すように本体部４ａと、本体部４ａの四隅から上方に突出する四つの爪４ｂを一体に有している。各爪４ｂは、押え部材４をキャップ１４に押し当てることで、キャップ１４の下部表側面または下部裏側面に係止する。押え部材４と治具本体２のベース２ａの間には、押え部材４をキャップ１４に向けて付勢する付勢部材７が設けられている。付勢部材７は、軸部７ａと、軸部７ａの外周側に設けられたコイルスプリング７ｂを有している。
【００１９】
治具１を使用してコンロッドボルト１５をコンロッド１２から抜く場合は、先ず、図４に示すように解除レバー１０を傾動させる。これにより一対の腕部材３が付勢部材９に抗して開いた位置になる。次に、押え部材４をキャップ１４の下部に押し当てる。その状態で、一対の腕部材３を付勢部材９の付勢力を利用して傾動させ、一対の腕部材３をコンロッド本体１３の肩部１３ｆに係止させる。この時、押え部材４は、付勢部材７の付勢力によってキャップ１４を押し上げる。そのため押え部材４と腕部材３によって、コンロッド本体１３とキャップ１４を挟み、これらを軽く保持する。
【００２０】
次に、進出部材６を回転させて、押え部材４を進出部材６によってキャップ１４に押し当てる。その結果、腕部材３と押え部材４によってコンロッド本体１３とキャップ１４を挟み、これらを安定良く保持する。続いて、コンロッドボルト１５の先端に螺合されたナット１６を外す。その状態で、圧入解除部材５を回転させ、コンロッドボルト１５を圧入解除部材５によって押上げる。これによりコンロッドボルト１５は、圧入されたボルト孔１３ａあるいはボルト孔１４ａから抜かれる。
【００２１】
以上のようにして実施の形態が形成されている。すなわちコンロッドボルト抜き用治具１は、図４に示すように治具本体２と、治具本体２に対して移動してキャップ１４をコンロッド本体１３に向けて押える押え部材４と、治具本体２に対して傾動してコンロッド本体１３の左右の肩部１３ｆに係止する一対の腕部材３とを有し、一対の腕部材３と押え部材４とによってコンロッド本体１３とキャップ１４を挟んで保持する。そして治具本体２には、治具本体２から進出してコンロッドボルト１５を押して、コンロッドボルト１５を圧入されたボルト孔１３ａ，１４ａから抜く圧入解除部材５が進退可能に設けられている。
【００２２】
したがって治具１は、一対の腕部材３と押え部材４によってコンロッド本体１３とキャップ１４を挟んでこれらを安定良く保持する。そしてその状態においてコンロッドボルト１５を圧入解除部材５によって押して、コンロッドボルト１５を圧入されたボルト孔１３ａ，１４ａから抜くことができる。また治具１は、治具本体２に対して各部品が取付けられる構成である。そのため小型化可能な構成で、小型化することで使用勝手が向上し、利便性に優れた構成になっている。
【００２３】
一対の腕部材３の間には、図４に示すようにこれらを連動させる連動機構８が設けられている。腕部材３と治具本体２の間には、腕部材３をコンロッド本体１３に向けて付勢する付勢部材９が設けられている。そして腕部材３の一つには、付勢部材９に抗して腕部材３を解除方向に操作するための解除レバー１０が設けられている。したがって解除レバー１０と連動機構８によって一対の腕部材３を同時に解除位置に操作することができる。そして付勢部材９の付勢力を利用して一対の腕部材３を容易にコンロッド本体１３に係止させることができる。
【００２４】
押え部材４と治具本体２の間には、図４に示すように押え部材４をキャップ１４に向けて付勢する付勢部材７と、治具本体２から進出して押え部材４をキャップ１４に押し付ける進出部材６とが設けられている。したがって付勢部材７によって押え部材４を付勢することで、キャップ１４とコンロッド本体１３を軽い力で保持（仮保持）することができる。そして進出部材６によって押え部材４をキャップ１４に押し付けることで、キャップ１４とコンロッド本体１３を安定良く保持（本保持）することができる。そのため仮保持した後に本保持することで、キャップ１４とコンロッド本体１３を容易に保持することができる。
【００２５】
（他の実施の形態）
本発明は、上記実施の形態に限定されず、以下の形態等であっても良い。
（１）例えば上記実施の形態の圧入解除部材５は、図１に示すようにボルトであった。しかし圧入解除部材が液圧や気圧によって治具本体に対して上下動するピン、あるいは電動モータによって上下動する軸などであっても良い。
（２）上記実施の形態に係る連動機構８は、図１に示すように一対の歯車８ａを有する形態であった。しかし一対の腕部材を連動させるリンク機構を有する形態等であっても良い。
（３）上記実施の形態には、図４に示すように腕部材３をコンロッド本体１３に係止する方向に付勢する付勢部材９や、押え部材４をキャップ１４に付勢する付勢部材７が設けられていた。しかしこれら付勢部材の両方または一方を有していない形態等であっても良い。
【図面の簡単な説明】
【００２６】
【図１】コンロッドボルト抜き用治具の斜視図である。
【図２】エンジンブロックの下方からの斜視図である。
【図３】コンロッドの正面図である。
【図４】コンロッドボルト抜き用治具とコンロッドボルトの正面図である。
【図５】腕部の一部拡大斜視図である。
【図６】押え部材の一部拡大斜視図である。
【符号の説明】
【００２７】
１・・・コンロッドボルト抜き用治具
２・・・治具本体
３・・・腕部材
４・・・押え部材
５・・・圧入解除部材
６・・・進出部材
７，９・・・付勢部材
８・・・連動機構
１０・・・解除レバー
１２・・・コンロッド
１３・・・コンロッド本体
１３ａ，１４ａ・・・ボルト孔
１３ｆ・・・肩部
１４・・・キャップ
１５・・・コンロッドボルト
１６・・・ナット
【図１】
2008264885.tif 000003
【図２】
2008264885.tif 000004
【図３】
2008264885.tif 000005
【図４】
2008264885.tif 000006
【図５】
2008264885.tif 000007
【図６】
2008264885.tif 000008